(57)【要約】【課題】製品設計段階において、現在から期限日までの残日数を考慮して対策の優先順位付けを行うことができる設計品質評価方法、設計品質評価プログラムおよび設計品質評価装置を提供する。【解決手段】本発明に係る設計品質評価方法は、設計品質評価に設計ＦＭＥＡを適用する際に、影響度ａ、頻度ｂ、検知度ｃの評価に加え、現在から各種期限日までの残日数を考慮した評価である切迫度ｄの評価を行い、ａ、ｂ、ｃおよび切迫度ｄの値にもとづいて現在における危険指数を算出する方法である。【選択図】  図７
2010009535.tif 000002
【特許請求の範囲】
【請求項１】
設計対象の設計品質の改善を支援する設計品質評価方法であって、
前記設計対象に予想される故障モードに施しうる対策案について、この対策案の実行に伴い生じる設計変更の所要日数を取得するステップと、
現在から所定の期限日までの日数である期限残日数を取得するステップと、
前記期限残日数から前記対策案に伴う前記設計変更所要日数を減じることにより得られる、現在から設計変更締め切りまでの日数である設計変更残日数を算出するステップと、
前記対策案ごとに前記設計変更残日数にもとづく切迫度のランキング値を割り当てるステップと、
前記対策案と前記切迫度のランキング値とを関連付けて表示するステップと、
を有し、
前記切迫度のランキング値は、前記設計変更残日数が少ないほど重要度が高くなるように割り当てられることを特徴とする設計品質評価方法。
【請求項２】
前記切迫度のランキング値を少なくとも用いて、前記対策案ごとに現在における重要度のランキング値を算出するステップと、
前記重要度のランキング値にもとづいて前記対策案のランキング表を前記表示部に表示するステップと、
をさらに有する請求項１記載の設計品質評価方法。
【請求項３】
前記対策案ごとに現在における重要度のランキング値を算出するステップは、
前記対策案の前記切迫度のランキング値と、前記対策案を施しうる前記故障モードの影響度のランキング値、頻度のランキング値および検出難度のランキング値と、にもとづいて、前記対策案ごとに前記現在における重要度のランキング値を算出するステップである、
請求項２記載の設計品質評価方法。
【請求項４】
前記対策案ごとに現在における重要度のランキング値を算出するステップは、
設計ＦＭＥＡを適用して評価方法として１０点法を採用することにより前記対策案ごとに前記現在における危険優先指数を算出するまたは前記設計ＦＭＥＡを適用して評価方法として４点法を採用することにより前記対策案ごとに前記現在における危険指数を算出するステップである、
請求項３記載の設計品質評価方法。
【請求項５】
コンピュータに、
前記設計対象に予想される故障モードに施しうる対策案について、この対策案の実行に伴い生じる設計変更の所要日数を取得するステップと、
現在から所定の期限日までの日数である期限残日数を取得するステップと、
前記期限残日数から前記対策案に伴う前記設計変更所要日数を減じることにより得られる、現在から設計変更締め切りまでの日数である設計変更残日数を算出するステップと、
前記対策案ごとに前記設計変更残日数にもとづく切迫度のランキング値を割り当てるステップと、
前記対策案と前記切迫度のランキング値とを関連付けて表示するステップと、
を実行させるためのプログラムであって、
前記切迫度のランキング値は、前記設計変更残日数が少ないほど重要度が高くなるように割り当てられることを特徴とする設計品質評価プログラム。
【請求項６】
コンピュータに、
前記切迫度のランキング値を少なくとも用いて、前記対策案ごとに現在における重要度のランキング値を算出するステップと、
前記重要度のランキング値にもとづいて前記対策案のランキング表を前記表示部に表示するステップと、
をさらに実行させるための請求項５記載の設計品質評価プログラム。
【請求項７】
コンピュータに、
前記対策案ごとに現在における重要度のランキング値を算出するステップは、
前記対策案の前記切迫度のランキング値と、前記対策案を施しうる前記故障モードの影響度のランキング値、頻度のランキング値および検出難度のランキング値と、にもとづいて、前記対策案ごとに前記現在における重要度のランキング値を算出するステップである、
をさらに実行させるための請求項６記載の設計品質評価プログラム。
【請求項８】
設計対象の設計品質の改善を支援する設計品質評価装置であって、
前記設計対象に予想される故障モードに施しうる対策案について、この対策案の実行に伴い生じる設計変更の所要日数を取得する所要日数取得部と、
現在から所定の期限日までの日数である期限残日数を算出する期限残日数算出部と、
前記期限残日数から前記対策案に伴う前記設計変更所要日数を減じることにより得られる、現在から設計変更締め切りまでの日数である設計変更残日数を算出する設計変更残日数算出部と、
前記対策案ごとに前記設計変更残日数にもとづく切迫度のランキング値を割り当てる切迫度決定部と、
前記対策案と前記切迫度のランキング値とを関連付けて表示する表示部と、
を備え、
前記切迫度のランキング値は、前記設計変更残日数が少ないほど重要度が高くなるように割り当てられることを特徴とする設計品質評価装置。
【請求項９】
前記切迫度のランキング値を少なくとも用いて、前記対策案ごとに現在における重要度のランキング値を算出する危険指数算出部と、
前記重要度のランキング値にもとづいて前記対策案のランキング表を前記表示部に表示するランキング表提示部と、
をさらに備えた請求項８記載の設計品質評価装置。
【請求項１０】
前記危険指数算出部は、
前記対策案の前記切迫度のランキング値と、前記対策案を施しうる前記故障モードの影響度のランキング値、頻度のランキング値および検出難度のランキング値と、にもとづいて、前記対策案ごとに前記現在における重要度のランキング値を算出する、
請求項９記載の設計品質評価装置。
【発明の詳細な説明】
【技術分野】
【０００１】
本発明は、製品設計段階において設計品質の改善を支援する設計品質評価方法、設計品質評価プログラムおよび設計品質評価装置に関する。
【背景技術】
【０００２】
製品設計段階において設計品質を向上させる方法の１つに、設計ＦＭＥＡ（Failure Mode and Effect Analysis）がある。
【０００３】
設計ＦＭＥＡでは、製品を構成する多数の部品について、各部品に対して故障モードがリストアップされる。そして、各故障モードが製品におよぼす影響の大きさａ（厳しさ、Severity）と、故障モードの起こりやすさｂ（頻度、Occurrence）と、故障モードの発見しづらさｃ（検知難度、Detection）とについてそれぞれ１０点法または４点法で評価してａ、ｂおよびｃの各評価を総合評価することにより、どの部品のどの故障モードから対策すべきかの優先順位をつけることができる。このため、設計ＦＭＥＡを用いることにより、効率よく設計品質を向上させることができる。
【０００４】
従来、設計ＦＭＥＡを用いて設計品質の改善を支援する技術に、特開２００５−２５５７０号公報（特許文献１）に開示されたものがある。
【０００５】
この特許文献１に開示された開発マネジメントシステムは、設計ＦＭＥＡを用いて設計品質を向上させる開発マネジメントシステムであって、ａ、ｂおよびｃの評価のほか、故障モードの対策に時間を要するものほど重要とする評価を加えて総合評価することにより、故障モードの対策に要する時間を考慮して対策の優先順位付けを行うことができるようになっている。
【特許文献１】特開２００５−２５５７０号公報
【発明の開示】
【発明が解決しようとする課題】
【０００６】
ところで、製品設計には完了すべき期限（納期、出荷日など）が存在する。このため、現在から設計の最終期限日までの残日数は、製品設計段階において考慮すべき重要な要素のひとつといえる。また、製品設計段階では繰り返しデザインレビュー（設計レビュー）が行われ、ＦＭＥＡ評価や設計変更の決定は、このデザインレビューにおいて行われる。このため、デザインレビューもまた期限日といえる。したがって、現在から次回のデザインレビューまでの残日数もまた、製品設計段階において考慮すべき重要な要素のひとつといえる。
【０００７】
これらの残日数によっては、たとえａ、ｂおよびｃの総合評価にもとづく優先順位が低くても、対策に時間を要する故障モードについては直ちに取り掛かる必要が生じる場合がある。
【０００８】
しかし、従来の技術では、対策に要する時間は考慮しているものの、現在から期限日までの残日数を全く考慮していない。このため、従来の技術では、現在から期限日までの残日数を考慮して対策の優先順位付けを行うことができず、大変不便である。
【０００９】
本発明は、上述した事情を考慮してなされたもので、製品設計段階において、現在から期限日までの残日数を考慮して対策の優先順位付けを行うことができる設計品質評価方法、設計品質評価プログラムおよび設計品質評価装置を提供することを目的とする。
【課題を解決するための手段】
【００１０】
本発明に係る設計品質評価方法は、上述した課題を解決するために、設計対象の設計品質の改善を支援する設計品質評価方法であって、前記設計対象に予想される故障モードに施しうる対策案について、この対策案の実行に伴い生じる設計変更の所要日数を取得するステップと、現在から所定の期限日までの日数である期限残日数を取得するステップと、前記期限残日数から前記対策案に伴う前記設計変更所要日数を減じることにより得られる、現在から設計変更締め切りまでの日数である設計変更残日数を算出するステップと、前記対策案ごとに前記設計変更残日数にもとづく切迫度のランキング値を割り当てるステップと、前記対策案と前記切迫度のランキング値とを関連付けて表示するステップと、を有し、前記切迫度のランキング値は、前記設計変更残日数が少ないほど重要度が高くなるように割り当てられることを特徴とする方法である。
【００１１】
一方、本発明に係る設計品質評価プログラムは、上述した課題を解決するために、コンピュータに、前記設計対象に予想される故障モードに施しうる対策案について、この対策案の実行に伴い生じる設計変更の所要日数を取得するステップと、現在から所定の期限日までの日数である期限残日数を取得するステップと、前記期限残日数から前記対策案に伴う前記設計変更所要日数を減じることにより得られる、現在から設計変更締め切りまでの日数である設計変更残日数を算出するステップと、前記対策案ごとに前記設計変更残日数にもとづく切迫度のランキング値を割り当てるステップと、前記対策案と前記切迫度のランキング値とを関連付けて表示するステップと、を実行させるためのプログラムであって、前記切迫度のランキング値は、前記設計変更残日数が少ないほど重要度が高くなるように割り当てられることを特徴とするプログラムである。
【００１２】
さらに、本発明に係る設計品質評価装置は、上述した課題を解決するために、設計対象の設計品質の改善を支援する設計品質評価装置であって、前記設計対象に予想される故障モードに施しうる対策案について、この対策案の実行に伴い生じる設計変更の所要日数を取得する所要日数取得部と、現在から所定の期限日までの日数である期限残日数を算出する期限残日数算出部と、前記期限残日数から前記対策案に伴う前記設計変更所要日数を減じることにより得られる、現在から設計変更締め切りまでの日数である設計変更残日数を算出する設計変更残日数算出部と、前記対策案ごとに前記設計変更残日数にもとづく切迫度のランキング値を割り当てる切迫度決定部と、前記対策案と前記切迫度のランキング値とを関連付けて表示する表示部と、を備え、前記切迫度のランキング値は、前記設計変更残日数が少ないほど重要度が高くなるように割り当てられることを特徴とするものである。
【発明の効果】
【００１３】
本発明に係る設計品質評価方法、設計品質評価プログラムおよび設計品質評価装置によれば、製品設計段階において、現在から期限日までの残日数を考慮して対策の優先順位付けを行うことができる。
【発明を実施するための最良の形態】
【００１４】
本発明に係る設計品質評価方法、設計品質評価プログラムおよび設計品質評価装置の実施の形態について、添付図面を参照して説明する。
【００１５】
図１は、本発明に係る設計品質評価装置の一実施形態を示す概略的な全体構成図である。なお、以下の説明においては、ノートブック型のパーソナルコンピュータを設計品質評価装置の一例として示す。
【００１６】
設計品質評価装置１０は、コンピュータ本体１１およびディスプレイユニット１２を備える。
【００１７】
コンピュータ本体１１は、薄い箱型の筐体を有しており、この筐体の上面中央部には入力部１３としてのキーボードが設けられる。ディスプレイユニット１２には、表示部１４としてのＬＣＤ（Liquid Crystal Display）が組み込まれている。ディスプレイユニット１２は、コンピュータ本体１１に対して、開閉軸１５を中心として矢印Ｘの方向に開閉自在となるように、連結部１６（ヒンジ）を介して連結される。
【００１８】
図２は、設計品質評価装置１０の内部構成の一例を示す概略的なブロック図である。
【００１９】
図２に示すように、設計品質評価装置１０は、ＣＰＵ２１、ＲＡＭ２２、ＲＯＭ２３、入力部１３、表示部１４および記憶部群３０を有する。
【００２０】
ＣＰＵ２１は、ＲＯＭ２３内に記憶されたプログラムに従って、設計品質評価装置１０の処理動作を制御する。ＣＰＵ２１は、ＲＯＭ２３内に記憶された設計品質評価プログラムおよびプログラムの実行のために必要なデータを、ＲＡＭ２２へロードし、設計品質評価プログラムに従って現在から期限日までの残日数を考慮した対策の優先順位付けを行う処理を実行する。
【００２１】
ＲＡＭ２２は、ＣＰＵ２１が実行するプログラムおよびデータを一時的に格納するワークエリアを提供する。
【００２２】
ＲＯＭ２３は、設計品質評価装置１０の起動プログラム、設計品質評価プログラムや、これらのプログラムを実行するために必要な各種データを記憶する。
【００２３】
なお、ＲＯＭ２３は、磁気的もしくは光学的記録媒体または半導体メモリなどの、ＣＰＵ２１により読み取り可能な記録媒体を含んだ構成を有し、ＲＯＭ２３内のプログラムおよびデータの一部または全部は電子ネットワークを介してダウンロードされるように構成してもよい。
【００２４】
入力部１３は、たとえばキーボード、タッチパネル、テンキーなどの一般的な入力装置により構成され、ユーザの操作に対応した操作入力信号をＣＰＵ２１に出力する。
【００２５】
表示部１４は、たとえば液晶ディスプレイやＣＲＴディスプレイなどの一般的な表示出力装置により構成され、ＣＰＵ２１の制御に従って各種情報を表示する。
【００２６】
ここで、設計ＦＭＥＡについて簡単に説明する。
【００２７】
図３は、本実施形態において行われる設計ＦＭＥＡの一例を示す説明図である。図３には、設計対象製品のひとつの部品（プレート）について２つの故障モード（変形および磨耗）が抽出されている場合の例について示した。
【００２８】
設計対象製品の故障モードは、最終期限日までにできるだけ設計品質を向上させるべく、複数回のデザインレビューを経て対策が施される。なお、以下の説明では、デザインレビューにおける設計品質評価方法として設計ＦＭＥＡを採用し、評価方法として４点法を適用する場合の例について説明する。
【００２９】
デザインレビューにおいては一般に、関係者が集まって話し合いを行うことによって、設計対象製品の構成部品について故障モードを抽出し、各故障モードについて影響の大きさ（影響度）ａ、頻度ｂおよび検知難度（検知度）ｃのそれぞれに対して１０点法または４点法で評価を行うことによりランキング値を与える。従来は、このａ、ｂおよびｃの値にもとづいて、１０点法では現在における危険優先指数（ＲＰＮ：Risk Priority Number）を、４点法では現在における危険指数（ＲＩ：Risk Index）を算出し、ＲＰＮまたはＲＩの値にもとづいてランキング表を作成することにより、各故障モードの現在における重要度を把握していた。
【００３０】
しかし、製品設計には、製品の出荷日や製造認定日などの完了すべき期限日（以下、最終期限日という）が存在する。また、最終期限日までに行われるデザインレビューの期日もまた、設計変更を実行するか否かの期限日となりうる。このため、これらの残日数によっては、たとえａ、ｂおよびｃの総合評価にもとづく危険指数が低くても、対策に時間を要する場合には直ちに対策に取り掛かる必要が生じる。
【００３１】
このため、本実施形態に係る設計品質評価装置１０は、ａ、ｂおよびｃの評価に加え、現在から各種期限日までの残日数を考慮した評価（以下、切迫度ｄの評価という）を行い、ａ、ｂ、ｃおよび切迫度ｄの値にもとづいて現在における危険指数を算出する。なお、図３には、危険指数の算出方法としてａ、ｂ、ｃおよびｄの積をとる方法を採用する場合の例について示したが、ａ、ｂ、ｃおよび切迫度ｄの値にもとづいて現在における危険指数を算出する方法であれば、危険指数の算出方法はこの方法に限られないことに注意する。
【００３２】
図４は、デザインレビュー実施予定日および最終期限日と、故障モードの対策案の設計変更残日数αとの関係を示す説明図である。
【００３３】
図４に示すように、対策案Ａは、対策案Ｂに比べ、対策案の実行に伴い生じる設計変更の最低所要日数Ｄが長く、対策案Ａのほうが切迫度ｄは高いといえる。これは、対策案Ａのほうが、現在から設計変更を決断しなければならない期日（設計変更締切日）までの残日数（設計変更残日数α）が短いためである。したがって、切迫度ｄは、設計変更残日数αにもとづいて決定するとよい。
【００３４】
記憶部群３０は、所要日数記憶部３１と、期限日記憶部３２と、切迫度判定基準記憶部３３とを有する。
【００３５】
所要日数記憶部３１は、あらかじめ、ユーザにより入力部１３を介して入力されて、対策案と、対策案の実行に伴い生じる設計変更の最低所要日数Ｄと、を関連付けて記憶しておく。
【００３６】
期限日記憶部３２は、あらかじめ、ユーザにより入力部１３を介して入力されて、最終期限日と、最終期限日までに行われるデザインレビューの期日ＤＲｎ（ただし、ｎはｎ≦ｉの自然数、ｉは最終期限日までに行われるデザインレビューの回数）と、を記憶しておく。
【００３７】
図５は、切迫度ｄのランキング値割り当て基準表の一例を示す図である。
【００３８】
切迫度判定基準記憶部３３は、図５に示すように、設計変更残日数αと、最終期限日までの残日数である期限残日数Ｎと、デザインレビューの期日ＤＲｎ−１からＤＲｎまで（ただしｎ＝ｉのときは最終期限日まで）の日数Ｘｎとにもとづいて切迫度ｄのランキング値を割り当てるための表をユーザにより入力部１３を介して入力されてあらかじめ記憶しておく。図５には、現在から最終期限日までに行われるデザインレビューの回数が２回（現在を除く）である場合の例について示した。
【００３９】
なお、図５に示した表の切迫度判定値「２」における「製造認定／出荷時に対応」するとは、評価対象となる対策案が製造認定／出荷時に対応可能な案であることに由来し、このような案としてたとえば製品の一部に注意書きを行ったりシールを貼付したりする対策案を挙げることができる。
【００４０】
また、表の切迫度判定値「１」における「出荷後に対応可能」な対策案としては、たとえば製品がソフトウェアであれば、アップデートプログラムを出荷後に配布する対策案などを挙げることができる。この種の「出荷後に対応可能」な対策案については、あらかじめ所要日数記憶部３１に対して、設計変更の最低所要日数Ｄに０以下の値を割り当てて記憶させておくとよい。最低所要日数Ｄが０以下である結果、図５の表の切迫度判定値「１」における判定基準はＮ≦αとなる
図６は、図２に示すＣＰＵ２１による機能実現部の構成例を示す概略的なブロック図である。なお、この機能実現部は、ＣＰＵ２１を用いることなく回路などのハードウエアロジックによって構成してもよい。
【００４１】
ＣＰＵ２１は、設計品質評価プログラムによって、少なくとも所要日数取得部４１、期限残日数算出部４２、設計変更残日数算出部４３、切迫度決定部４４、危険指数算出部４５およびランキング表提示部４６として機能する。この各部４１〜４６は、ＲＡＭ２２の所要のワークエリアを、データの一時的な格納場所として利用する。
【００４２】
次に、ＣＰＵ２１の各部４１〜４６について説明する。
【００４３】
所要日数取得部４１は、対策案の実行に伴い生じる設計変更の最低所要日数Ｄを所要日数記憶部３１から取得する。
【００４４】
期限残日数算出部４２は、期限日記憶部３２から最終期限日の情報を取得し、現在から最終期限日までの残日数である期限残日数Ｎを算出する。
【００４５】
設計変更残日数算出部４３は、所要日数取得部４１から設計変更の最低所要日数Ｄを、期限残日数算出部４２から期限残日数Ｎを、それぞれ受け、現在から設計変更締切日までの残日数である設計変更残日数α（α＝Ｎ−Ｄ）を算出する。
【００４６】
切迫度決定部４４は、切迫度判定基準記憶部３３に記憶されたランキング表（図５参照）を利用し、設計変更残日数αと、最終期限日までの残日数である期限残日数Ｎと、デザインレビュー間の日数Ｘ１、Ｘ２およびＸ３（図４参照）とにもとづいて、対策案に対して切迫度ｄのランキング値を割り当てる。
【００４７】
危険指数算出部４５は、影響度ａ、頻度ｂ、検知度ｃおよび切迫度ｄにもとづいて、故障モードの対策案ごとに危険指数を算出する。
【００４８】
ランキング表提示部４６は、危険指数算出部４５が算出した危険指数にもとづいて、対策案ごとに現在における重要度のランキング表を生成して、表示部１４に表示させる。
【００４９】
次に、本実施形態に係る設計品質評価装置１０の動作の一例について説明する。
【００５０】
図７は、現在から期限日までの残日数を考慮して、設計ＦＭＥＡを用いて設計品質評価を行う際の手順を示すフローチャートである。図７において、Ｓに数字を付した符号は、フローチャートの各ステップを示す。
【００５１】
この手順は、図４に示すデザインレビューＤＲ１の期日が来て、関係者がデザインレビューを開始した時点でスタートとなる。
【００５２】
まず、ステップＳ１において、関係者は、解析対象について、ＣＡＤ図面や各種要求などを把握する。
【００５３】
次に、ステップＳ２において、関係者は、解析対象の新規開発製品（改良品）と既存製品（ベース品）との差異点（新規な点および変更点）を把握してチェックリストを作成する。
【００５４】
次に、ステップＳ３において、関係者は、チェックリストの作成によって明確になった差異点について、ＦＭＥＡワークシートを用いるなどして予想される故障モードを抽出する。
【００５５】
次に、ステップＳ４において、関係者は、抽出された故障モードについて、影響度ａ、頻度ｂおよび検知度ｃのそれぞれに対して、４点法で評価を行うことによりランキング値を与える（図３参照）。この各ランキング値は、ユーザにより入力部１３を介して設計品質評価装置１０に与えられ、ＲＡＭ２２の所要のワークエリアや不揮発性の記憶媒体などに記憶される。
【００５６】
次に、ステップＳ５において、設計品質評価装置１０のＣＰＵ２１は、抽出された故障モードの対策案ごとに切迫度ｄを算出する処理（以下、切迫度算出処理という）を実行する。ＣＰＵ２１により算出された切迫度ｄは、ＲＡＭ２２の所要のワークエリアや不揮発性の記憶媒体などに記憶される。
【００５７】
次に、ステップＳ６において、危険指数算出部４５は、影響度ａ、頻度ｂ、検知度ｃおよび切迫度ｄにもとづいて、故障モードの対策案ごとに危険指数を算出する。
【００５８】
次に、ステップＳ７において、ランキング表提示部４６は、危険指数算出部４５が算出した危険指数にもとづいて、対策案ごとに現在における重要度のランキング表を生成して、表示部１４に表示させる。
【００５９】
次に、ステップＳ８において、関係者は、表示部１４に表示されたランキング表を参照して対策を実行し、必要に応じてステップＳ４に戻る。
【００６０】
以上の手順により、設計ＦＭＥＡを用いて設計品質評価を行う際に、現在から期限日までの残日数を考慮することができる。
【００６１】
続いて、故障モードの対策案ごとに切迫度ｄを自動的に算出する処理を実行する際の手順について説明する。
【００６２】
図８は、図７のステップＳ５でＣＰＵ２１により実行される切迫度算出処理の手順を示すサブルーチンフローチャートである。図８において、Ｓに数字を付した符号は、フローチャートの各ステップを示す。
【００６３】
以下の説明では、図４および図５に示す例、すなわち、１つの故障モードに対して２つの対策案ＡおよびＢが考えられる場合の例について説明する。
【００６４】
なお、あらかじめ、所要日数記憶部３１は、対策案ＡおよびＢと対策案ＡおよびＢの実行に伴い生じる設計変更の最低所要日数ＤＡおよびＤＢ（図４参照）とを関連付けて記憶しているものとする。また、期限日記憶部３２は、最終期限日と最終期限日までに行われるデザインレビューの期日ＤＲ１、ＤＲ２およびＤＲ３（図４参照）とを記憶しているものとする。さらに、切迫度判定基準記憶部３３は、設計変更残日数α（αＡおよびαＢ）と、最終期限日までの残日数である期限残日数Ｎと、デザインレビュー間の日数Ｘ１、Ｘ２およびＸ３（図４参照）とにもとづいて切迫度ｄのランキング値を割り当てるための表を記憶しているものとする（図５参照）。
【００６５】
まず、ステップＳ５１において、所要日数取得部４１は、対策案Ａの実行に伴い生じる設計変更の最低所要日数ＤＡを所要日数記憶部３１から取得する。
【００６６】
次に、ステップＳ５２において、期限残日数算出部４２は、期限日記憶部３２から最終期限日の情報を取得し、現在から最終期限日までの残日数である期限残日数Ｎを算出する。
【００６７】
次に、ステップＳ５３において、設計変更残日数算出部４３は、所要日数取得部４１から設計変更の最低所要日数ＤＡを、期限残日数算出部４２から期限残日数Ｎを、それぞれ受け、現在から設計変更締切日までの残日数である設計変更残日数αＡ（αＡ＝Ｎ−ＤＡ）を算出する。
【００６８】
次に、ステップＳ５４において、切迫度決定部４４は、切迫度判定基準記憶部３３に記憶されたランキング表（図５参照）を利用し、設計変更残日数αＡと、最終期限日までの残日数である期限残日数Ｎと、デザインレビュー間の日数Ｘ１、Ｘ２およびＸ３（図４参照）とにもとづいて、対策案Ａに対して切迫度ｄのランキング値を割り当てる。
【００６９】
次に、ステップＳ５５において、ＣＰＵ２１は、全ての対策案について切迫度ｄを割り当てたか否かを判定する。全ての対策案について切迫度ｄを割り当てた場合は、図５のステップＳ６に進む。一方、切迫度ｄが割り当てられていない対策案がある場合は、ステップＳ５１に戻る。
【００７０】
以上の手順により、故障モードの対策案ごとに、現在から期限日までの残日数を考慮した指数である切迫度ｄを自動的に算出することができる。
【００７１】
本実施形態に係る設計品質評価装置１０は、設計品質評価に設計ＦＭＥＡを適用する際に、影響度ａ、頻度ｂ、検知度ｃの評価に加え、現在から各種期限日までの残日数を考慮した評価である切迫度ｄの評価を行い、ａ、ｂ、ｃおよび切迫度ｄの値にもとづいて現在における危険指数を算出する。このため、デザインレビュー時やその後の進行管理において、現在優先的に取り組むべき対策を容易かつ的確に把握することができる。したがって、残日数を考慮して現時点でとりうる最も有効な対策を確実に選択することができる。よって、本実施形態に係る品質評価装置は、取るべき対策の見落としにより対策時間が不足したり、手遅れになってしまって最も有効な対策をとることができなくなってしまったりするおそれがなく、従来の技術に比べ大きく設計品質を向上させることができ、その産業的価値は大きい。
【００７２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００７３】
たとえば、図３の「設計変更への制約」の下段に示したとおり、切迫度の割り当て基準として、現在から期限日までの残日数のほか、コストがかかるかどうかを加え、残日数とコストにもとづいて切迫度ｄを割り当ててもよい。また、コストに応じた新たな指標として第２の切迫度ｄ２を用い、ａ、ｂ、ｃ、ｄおよびｄ２の５つの指標をもって危険指数を算出してもよい。コストもまた、残日数と同様に、設計品質向上にとって重要な要因である。
【００７４】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【図面の簡単な説明】
【００７５】
【図１】本発明に係る設計品質評価装置の一実施形態を示す概略的な全体構成図。
【図２】設計品質評価装置の内部構成の一例を示す概略的なブロック図。
【図３】本実施形態において行われる設計ＦＭＥＡの一例を示す説明図。
【図４】デザインレビュー実施予定日および最終期限日と、故障モードの対策案の設計変更残日数との関係を示す説明図。
【図５】切迫度ｄのランキング値割り当て基準表の一例を示す図。
【図６】図２に示すＣＰＵによる機能実現部の構成例を示す概略的なブロック図。
【図７】現在から期限日までの残日数を考慮して、設計ＦＭＥＡを用いて設計品質評価を行う際の手順を示すフローチャート。
【図８】図７のステップＳ５でＣＰＵにより実行される切迫度算出処理の手順を示すサブルーチンフローチャート。
【符号の説明】
【００７６】
１０  設計品質評価装置
１１  コンピュータ本体
１２  ディスプレイユニット
１３  入力部
１４  表示部
１５  開閉軸
１６  連結部
２１  ＣＰＵ
２２  ＲＡＭ
２３  ＲＯＭ
３０  記憶部群
３１  所要日数記憶部
３２  期限日記憶部
３３  切迫度判定基準記憶部
４１  所要日数取得部
４２  期限残日数算出部
４３  設計変更残日数算出部
４４  切迫度決定部
４５  危険指数算出部
４６  ランキング表提示部
【図１】
2010009535.tif 000003
【図２】
2010009535.tif 000004
【図３】
2010009535.tif 000005
【図４】
2010009535.tif 000006
【図５】
2010009535.tif 000007
【図６】
2010009535.tif 000008
【図７】
2010009535.tif 000009
【図８】
2010009535.tif 000010